(57)【要約】【課題】ネイルアートを施すときに、従来の爪にマニキュア等の塗料を塗り重ねるものではなく、誰でも簡単に独創性のあるネイルアートを演出する方法を提供する。【解決手段】ネイルアートを楽しむ場合、マニキュア等を塗り重ねる代わりに色や柄、模様の印刷されたシートを爪に貼るか、透明のシートに柄や模様などが印刷されたシートを貼るか、或いはまた色、柄、模様の印刷されたシートを爪に貼った上に、さらに透明なシートに柄や模様が印刷されたシートを個人のセンスで数枚組み合わせて貼り重ね、いずれの場合もシートを切る刃の部分が爪や指に直接触れず、傷をつける危険が無いような方向、角度を向いている構造の専用カッターで個人の爪の形状に合わせてシートの余分な部分を容易に切除し、誰でも安全にその組み合わせによってオリジナリティーを表現し、個人のセンスを楽しむことができるかんたんネイルアートシート。【選択図】図７
2009011763.tif 000002
【特許請求の範囲】
【請求項１】
ネイルアートを楽しむ場合、マニキュア等を塗り重ねる代わりに色や柄、模様の印刷されたシートを爪に貼るか、透明のシートに柄や模様などが印刷されたシートを貼るか、或いはまた色、柄、模様の印刷されたシートを爪に貼った上に、さらに透明なシートに柄や模様が印刷されたシートを個人のセンスで数枚組み合わせて貼り重ね、いずれの場合も専用カッターで個人の爪の形状に合わせて余分な部分を容易に切除し、誰でも安全にその組み合わせによってオリジナリティーを表現し、個人のセンスを楽しめるかんたんネイルアートシート。
【請求項２】
前記のシートの構造は、シート面の上に柄や模様を印刷した面、その印刷面の反対面に爪面に接着させるための粘着剤を塗られた面、さらに粘着剤がいろんな所に粘着しないようにシートを扱いやすくし、爪面に貼る際に剥がされる台紙で構成したかんたんネイルアートシート。
【請求項３】
シートを個人の爪の形に沿って、余分な部分を切除する専用カッターはシートを切る刃の部分が爪や指に直接触れず、傷をつける危険が無いような方向、角度に向いている構造であり、シートを刃の間（カットゾーン）に挟むように配置し、先端の丸みを帯びた形状のセーフティーリーダーをシートと爪の間に滑り込ませ、爪と皮膚の境目に沿ってなぞる様に走らせると刃の部分は、自然に爪や皮膚に触れることが無く、かんたんネイルアートシートを個人の爪の形状に沿って切れる専用カッター。
【発明の詳細な説明】
【技術分野】
【０００１】  本発明は、爪にネイルアートを施すときに、柄や模様が印刷されたシートを爪に貼り重ねて楽しむ、かんたんネイルアートシートに関するものである。
【背景技術】
【０００２】  従来、ネイルアートを楽しむ場合、何色かのマニキュア等を何重かに塗り重ねることを基本に、そこにポイントとなるものを貼り付け、その上から更にコーティングのためのトップコートを塗る事でオリジナリティーを表現していました。
また、人工の爪等に同様の方法でネイルアートを施し、それを爪に貼り付けたり、ネイルサロン等でプロにより、ネイルアートを施されたりもしている。【０００３】  この様なネイルアートを爪面に装飾するためのネイルアートシートが多種提案されている。
例えば、この様なネイルアートシートとしては、下記する特許文献１（特許公開２００６−１６７４３３）記載のネイルアートシート、特許文献２（特許公開２００４−３３７６０１）記載のネイルアート用転写シール、特許文献３（実用新案公開平０５−０７４４０６）記載の転写式ネイルアート、及び、特許文献４（登録実用新案第３０１８１４３号）記載の救急絆創膏型転写式ネイルアート等がすでに公開されている。【０００４】  これらのネイルアートシートは、多種多様な爪面の形状に合うように容易にシート自体を爪などで切断できるように工夫されたものや、転写式を採用している。
【特許文献１】特許公開２００６−１６７４３３
【特許文献２】特許公開２００４−３３７６０１
【特許文献３】実用新案公開平０５−０７４４０６
【特許文献４】登録実用新案第３０１８１４３号
【発明の開示】
【発明が解決しようとする課題】
【０００５】そのために、次のような問題点があった。
（イ）マニキュア等の塗料でネイルアートを施す場合は細かい模様などを爪面の上に描くことは素人では非常に困難であり、プロ等に依頼すると費用が高額になる。
（ロ）特許文献１のネイルアートシートは容易に押圧裁断できるように工夫はされているがシートの構造自体が非常に複雑になっている。
（ハ）特許文献２、特許文献３、特許文献４はいずれも転写式を採用しており、仕上げにトップコート等を必要としている。
トップコートを使用するために剥がす時にはリムーバー等の除光液が必要になる。
（二）特許文献３、特許文献４に関してはいずれもネイルアートにおいて絵やマークなどのポイントを目的とするものであり、爪面全体に色や模様を施したい場合は別に考えなければならない。
（ホ）いずれの文献もシートの構造自体が複雑に考えられている。
本発明は以上の問題点を解決しようとするものである。
【課題を解決するための手段】
【０００６】  ネイルアートを楽しむために、マニキュア等を塗り重ねる代わりに色や柄、模様の印刷されたシート（１）を貼るか、透明なシートに柄や模様が印刷されたシート（３）を貼るか、色や柄、模様の印刷されたシート（１）を貼った上から透明なシートに柄や模様が印刷されたシート（３）を数枚貼り重ねて、専用カッター（２）で個人の爪面の形状に合わせて余分な部分を切り落とし、誰でも安全で容易にその組み合わせによって、オリジナリティーを表現し楽しめるかんたんネイルアートシート。
【発明の効果】
【０００７】  塗料では無いので乾燥に時間をかける必要がなく、またトップコート等は使用しないので取り除くときに除光液等が必要なく、シートを剥がすだけでよい。
職業上の理由等で、日頃ネイルアートを爪に装飾できない人でも楽しめる。【０００８】  基本の色や柄、模様の印刷されたシート（１）に透明なシートに柄や模様が印刷されたシート（３）を貼り重ねるなど、仕上げに専用カッター（２）で個人の爪面の形状に合わせて余分な部分を切り落とし、誰でも安全に独創性を演出でき、マニキュアを塗るときの刷毛や筆では描くことが難しい細かい柄や模様をネイルアートとして楽しめる。【０００９】  シート事態は柄や模様の印刷面（９）、シート面（１０）、粘着剤面（１１）、台紙（１２）から構成されており、非常に簡単な構造であり、低い費用で作成できる。
【発明を実施するための最良の形態】
【００１０】以下、本発明の実施の形態を説明する。
（イ）シートはベースカラーシート（１）として基本となる単色、或いは柄や模様の印刷されたシートの種類を抱負に準備する。
ベースカラーシート（１）はシート面（１０）に印刷面（９）、粘着剤面（１１）に台紙（１２）の構造からなる。
（ロ）ベースカラーシート（１）と別に独創的に組み合わせるための透明なシートに柄や模様が印刷されたアレンジシート（３）も種類を豊富に準備する。
アレンジシート（３）は透明なシート面（１０）に柄や模様の印刷面（９）、粘着剤面（１１）に台紙（１２）の構成である。
（ハ）いずれのシートも専用カッター（２）で容易に切断できる厚さ、張りを持つシートであること。
（二）専用カッター（２）はシートを切る刃の部分（７）が爪や指を傷つける危険が無いような方向、角度に向いていること。
（ホ）専用カッター（２）の先端のセーフティーリーダー（６）はシートの余分な部分を切断する際に爪面と皮膚の境目に沿って走らせるために、爪面や皮膚を傷つけることが無いような丸みを帯びた形状であること。
（ヘ）専用カッター（２）の刃部分（７）の反対側になる柄の部分はシートを貼った上から、爪と指の境目を抑え、余分な部分を切除するための境目線を浮かび上がらせる事ができるようなシェイパー（５）になっている。
本発明は、以上の構成よりなっている。
図１は、ベースカラーシート（１）を貼りたい爪が十分に覆うことができる大きさにハサミ等で切り取る説明図である。
図２は、適当な大きさに切り取ったベースカラーシート（１）から台紙（１２）を剥がして爪に貼る。
貼った爪の中心から気泡ができないように貼り付ける説明図である。
図３は、ベースカラーシート（１）の余分な部分を切り取る前の処理として、専用カッター（２）のシェイパー（５）の部分で爪と皮膚の境目を押さえ、カットする導線を浮かび上がらせる説明図である。
図４は、専用カッター（２）のカットゾーン（１３）にシートを挟み、セーフティーリーダー（６）を爪とベースカラーシート（１）の間に滑り込ませ、爪と皮膚の境目、シェイパー（５）で浮かび上がらせた導線に沿って走らせ、ベースカラーシート（１）の余分な部分を切除する説明図である。
図５は、ベースカラーシート（１）の完成した説明図である。
図６は、透明なシートに模様をプリントしたアレンジシート（３）を先にベースカラーシート（１）を貼った爪を覆うことができる大きさに切り取る説明図である。
図７は、切り取った模様をプリントしたアレンジシート（３）を台紙（１２）から剥がし、爪に爪に貼ったベースカラーシート（１）の上から、爪の中心から外側に気泡ができないように貼り付ける説明図である。
図８は、透明なシートに柄を印刷したアレンジシート（３）の余分な部分を切り取る前の処理として、専用カッター（２）のシェイパー（５）の部分で爪と皮膚の境目を押さえ、カットする導線を浮かび上がらせる説明図である。
図９は、透明なシートに柄を印刷したアレンジシート（３）の余分な部分を切り取るために、専用カッター（２）のカットゾーン（１３）にアレンジシート（３）を挟み、セーフティーリーダー（６）を爪とシートの間に滑り込ませ、爪と皮膚の境目、シェイパー（５）で浮かび上がらせた導線に沿って走らせ、アレンジシート（３）の余分な部分を切除する説明図である。
図１０は、アレンジシート（３）完成例の説明図である。
図１１は、専用カッター（２）の全体図である。
図１２は、専用カッター（２）の全体図である。
図１３は、専用カッターの刃（４）の平面図である。
図１４は、専用カッターの刃（４）の立体図である。
図１５は、専用カッター（２）の使用例の説明図である。
図１６は、専用カッターのシェイパーの説明図である。
図１７は、ネイルアートシートの構造図である。
本発明を使用するときは、まず、好みの色、柄、模様が印刷されたベースカラーシート（１）、または透明なシートに柄や模様が印刷されたアレンジシート（３）を豊富な種類の中から選び、まず、ベースカラーシート（１）を貼りたい爪面を十分に覆うことができる大きさにハサミ等で切り取る。
切り取ったベースカラーシート（１）を台紙（１２）から剥がして爪に張り、専用カッター（２）で爪面の形状に合わせて余分な部分を切り取る。
さらに独創性を表現するために、透明なシートに柄、模様が印刷されたアレンジシート（３）をハサミ等で先にベースカラーシート（１）を貼った爪面を十分に覆うことができる大きさに切り、先に爪に貼ったベースカラーシート（１）の上からアレンジシート（３）の台紙（１２）を剥がして貼り重ね、専用カッター（２）でもう一度、爪面の形状に合わせて余分な部分を切り取る。
アレンジシート（３）は何重に貼り重ねてもよい。
【図面の簡単な説明】
【００１１】
【図１】  本発明のベースカラーシート（１）を適当な大きさに切り取る説明図。
【図２】  本発明の切り取ったベースカラーシート（１）を爪に貼る説明図。
【図３】  本発明の専用カッター（２）のシェイパー（５）の部分で爪と皮膚の境目を押さえ、カットする導線を浮かび上がらせる説明図。
【図４】  本発明の専用カッター（２）でベースカラーシート（１）の余分な部分を切除する説明図。
【図５】  本発明のベースカラーシート（１）の完成した説明図。
【図６】  本発明のアレンジシート（３）を適当な大きさに切り取る説明図。
【図７】  本発明の切り取ったアレンジシート（３）をベースカラーシート（１）の上から貼り付ける説明図。
【図８】  本発明の専用カッター（２）のシェイパー（５）の部分で爪と皮膚の境目を押さえ、カットする導線を浮かび上がらせる説明図。
【図９】  本発明の専用カッター（２）でアレンジシート（３）の余分な部分を切除する説明図。
【図１０】  本発明のアレンジシート（３）完成した説明図。
【図１１】  本発明の専用カッター（２）の全体の説明図。
【図１２】  本発明の専用カッター（２）の全体の説明図。
【図１３】  本発明の専用カッターの刃（４）の平面図。
【図１４】  本発明の専用カッターの刃（４）の立体の説明図。
【図１５】  本発明の専用カッター（２）の使用例の説明図。
【図１６】  本発明の専用カッターのシェイパーの説明図。
【図１７】  本発明のネイルアートシートの構造図。
【符号の説明】
【００１２】  １  かんたんネイルアートシート（色、柄、模様シート。ベースカラーシート）
２  専用カッター
３  かんたんネイルアートシート（透明なシートに柄、模様が印刷されたシート。アレンジシート）
４  専用カッターの刃の部分
５  専用カッターのシェイパー部
６  セーフティーリーダー
７  刃
８  シートの断面図（構造）
９  柄や模様の印刷面
１０  シート面
１１  粘着剤面
１２  台紙
１３  カットゾーン
【図１】
2009011763.tif 000003
【図２】
2009011763.tif 000004
【図３】
2009011763.tif 000005
【図４】
2009011763.tif 000006
【図５】
2009011763.tif 000007
【図６】
2009011763.tif 000008
【図７】
2009011763.tif 000009
【図８】
2009011763.tif 000010
【図９】
2009011763.tif 000011
【図１０】
2009011763.tif 000012
【図１１】
2009011763.tif 000013
【図１２】
2009011763.tif 000014
【図１３】
2009011763.tif 000015
【図１４】
2009011763.tif 000016
【図１５】
2009011763.tif 000017
【図１６】
2009011763.tif 000018
【図１７】
2009011763.tif 000019